(57)【要約】【課題】原稿台上面の一端縁に開閉自在に軸支された原稿カバーを有する画像読取装置に関し、原稿カバーに生じた反りに起因する読取品質の低下を防止し得る画像読取装置を提供する。【解決手段】多機能機１は、原稿載置台１５を有する本体筐体１０と、本体筐体１０上面後端縁の回動軸を中心に開閉自在に配設された原稿カバー３０を有し、スキャナユニット２０で、原稿載置台１５上の原稿の画像を読み取り得る。原稿カバー３０は、自動原稿搬送装置３５を、原稿カバー中心Ｃｃよりも左側に重心Ｇが位置するように有している。又、原稿カバー３０は、原稿カバー３０を閉じた場合に、原稿載置台１５に載置された原稿を押圧固定する原稿押圧部材５０を有している。原稿押圧部材５０は、原稿カバー中心Ｃｃより左側に形成された取付部３１、押圧部材中心Ｃｐより左側に形成された揺動支持部５１Ａ、揺動軸部材５４により、対向面Ｆに対して揺動自在に軸支される。【選択図】図４
2012160861.tif 000002
【特許請求の範囲】
【請求項１】
上面に原稿が載置される原稿台と、
前記原稿台上面の下方に配設され、原稿台上面に載置された原稿の画像を読み取る読取手段と、
前記原稿台上面の一端縁に沿った回動軸を介して、当該原稿台上面に対して開閉自在に軸支され、閉じた場合に前記原稿台上面を覆う原稿カバーと、を有する画像読取装置であって、
前記原稿カバーは、
当該原稿カバーを閉じた場合に前記原稿台上面と対向する対向面に配設され、当該原稿台上面に載置された原稿を押圧する押圧部材と、
当該原稿カバーの中心に対して、所定の第１方向に偏心した位置に重心が位置するように配設され、原稿を搬送しつつ、前記読取手段によって当該原稿の画像を読み取る為の原稿搬送機構と、を有し、
前記押圧部材は、
当該押圧部材の中心よりも前記原稿搬送機構側の位置において、前記第１方向に直交する第２方向に延びる揺動軸を中心に、前記原稿カバーの対向面に対して揺動自在に配設されている
ことを特徴とする画像読取装置。
【請求項２】
請求項１記載の画像読取装置であって、
前記押圧部材は、
前記原稿台上面側の面であって、原稿の載置範囲を含む大きさの平板状の配設面を有し、前記揺動軸を中心に、前記原稿カバーの対向面に対して揺動自在に軸支されるフレーム部材と、
前記フレーム部材の配設面に配設され、所定の柔軟性を有する弾性部材と、
前記配設面に配設された弾性部材において、前記原稿カバーを閉じた場合に前記原稿台上面と対向する面に配設されるフィルムと、により構成されている
ことを特徴とする画像読取装置。
【請求項３】
請求項１記載の画像読取装置であって、
前記押圧部材は、
前記原稿カバーの対向面に対して、前記揺動軸と前記原稿カバーの対向面の間の距離が一定範囲内で変化可能に配設されている
ことを特徴とする画像読取装置。
【請求項４】
請求項１乃至請求項３の何れかに記載の画像読取装置であって、
前記押圧部材は、
前記原稿カバーの対向面における前記第２方向の中央部分の所定位置において、前記揺動軸を介して、前記原稿カバーに対して揺動自在に配設されている
ことを特徴とする画像読取装置。
【発明の詳細な説明】
【技術分野】
【０００１】
本発明は、原稿台上にセットされた原稿の画像を読み取る読取手段と、原稿台上面の一端縁に開閉自在に軸支された原稿カバーとを有する画像読取装置に関する。
【背景技術】
【０００２】
従来、画像読取装置（所謂、スキャナ）においては、装置本体上面を構成する原稿台にセットされた原稿の画像を、撮像素子を有する読取手段を所定方向に移動させつつ読み取る方式が採用されたものが知られている。このような画像読取装置では、原稿カバーが、原稿台の一端縁側に開閉自在に軸支されており、当該原稿カバーを閉じることにより、当該原稿の画像に関する読取動作を行う際に、読取対象である原稿を、原稿台に押圧して所定位置に固定するように構成されている。従来の画像読取装置は、原稿カバーで原稿を原稿台に押圧・固定することにより、当該原稿からの画像の読取精度及び読取品質を向上させている。
【０００３】
このような画像読取装置に関する発明として、特許文献１記載の画像読取装置が知られている。当該画像読取装置の原稿カバーは、原稿カバーを閉じた場合に、原稿台及び原稿台上にセットされた原稿と対向する面（以下、対向面）に沿って、緩衝材及び白色ポリエステルフィルムが配設されている。従って、原稿カバーを閉じた場合は、原稿は、緩衝材及び白色ポリエステルフィルムを介して、原稿台上に均一に押圧されつつ所定位置に固定される。この結果、特許文献１記載の画像読取装置によれば、十分な読取精度及び読取品質をユーザに提供し得る。
【０００４】
又、近年の画像読取装置においては、原稿カバーに原稿搬送機構（即ち、ＡＤＦ：Auto Document Feeder）を一体化したものも存在する。例えば、特許文献２記載の画像読取装置では、ＡＤＦ装置が、後方側の端縁部分で開閉自在に配設された原稿カバーの左側部分に配設されている。当該ＡＤＦ装置は、ユーザの操作が行われると、ＡＤＦ装置内に形成された所定の搬送経路に沿って、原稿トレイにセットされた原稿を自動的に搬送する。そして、特許文献２記載の画像読取装置は、ＡＤＦ装置による原稿の搬送を行いつつ、その途上で当該原稿の画像を読み取るように構成されている。
【先行技術文献】
【特許文献】
【０００５】
【特許文献１】特開２００５−０４９６１２号公報
【特許文献２】実開昭６１−０００１４２号公報
【発明の概要】
【発明が解決しようとする課題】
【０００６】
ここで、特許文献２記載の画像読取装置のように、原稿搬送機構が原稿カバーの一部に一体的に配設されている場合、原稿搬送機構が配設されている部分が、原稿搬送機構の構成部品等の存在により、原稿カバーにおける他の部分よりも重くなる傾向にある。そうすると、原稿カバーの開閉動作に伴って、原稿カバーは、原稿搬送機構が配設する部分に対して、他の部分が上方に位置するように反ってしまう場合がある。
【０００７】
このように、原稿搬送機構の存在により、原稿カバーに反りが生じてしまった場合、特許文献１のように、当該原稿カバーの対向面に配設された緩衝材及び白色ポリエステルフィルムも、原稿カバーの反りに従って反ってしまう。そうすると、当該原稿カバーを閉じた場合であっても、原稿搬送機構が配設されている部分は、原稿台に接触し、原稿台上の原稿を押圧・固定し得るものの、原稿カバーの他の部分は、反りによって原稿台よりも上方に位置することとなり、原稿台上の原稿を押圧・固定することができない状態となってしまう。即ち、この場合の画像読取装置は、原稿カバーを閉じたとしても、原稿台上の原稿を均一に原稿台に押圧・固定することができず、原稿からの画像の読取精度及び読取品質を低下させてしまう。
【０００８】
本発明は、原稿台上面の一端縁に開閉自在に軸支された原稿カバーを有する画像読取装置に関し、原稿カバーに生じた反りに起因する読取品質の低下を防止し得る画像読取装置を提供する。
【課題を解決するための手段】
【０００９】
本発明の請求項１に係る画像読取装置は、原稿台と、読取手段と、原稿カバーとを有する。原稿カバーは、原稿台上面の一端縁に沿った回動軸を介して、開閉自在に軸支されており、閉じた場合に原稿台上面を覆うことで、原稿台上面に載置された原稿を、原稿台に押圧しつつ所定位置に固定する。これにより、当該画像読取装置は、原稿台上面に載置された原稿の画像を、読取手段によって、高い読取品質で読み取り得る。当該画像読取装置において、原稿カバーは、押圧部材と、原稿搬送機構とを有している。原稿搬送機構は、原稿カバーの中心に対して、所定の第１方向に偏心した位置に重心が位置するように配設されているため、原稿カバーには、当該原稿搬送機構の存在によって第１方向における反りが、原稿カバーの開閉動作に伴って生じる場合があり、当該原稿カバーを閉じると、原稿カバーにおける原稿搬送機構側と逆側部分が、原稿搬送機構側よりも原稿台上面から離れた状態となってしまう。この点、当該原稿カバーの対向面には、板状に形成された押圧部材が当該対向面に対して揺動可能に配設されているため、原稿カバーの反りが、押圧部材における原稿との接触面に影響を及ぼすことはない。又、当該押圧部材は、板状に形成されており、当該押圧部材の中心よりも前記原稿搬送機構側の位置において、揺動軸を中心に揺動自在に配設されている。従って、当該画像読取装置においては、原稿カバーを開くと、押圧部材は、揺動軸を軸に、当該揺動軸よりも原稿搬送機構側の部分が対向面に近づくと共に、原稿搬送機構と逆側の部分が対向面から離間するように回動する。つまり、当該画像読取装置では、原稿カバーを閉じると、押圧部材は、押圧部材における原稿搬送機構と逆側の部分から順に、原稿台上の原稿を原稿台に対して押圧する。この結果、当該画像読取装置は、原稿搬送機構と逆側の部分においても、確実に、原稿を原稿台に押圧することができ、原稿カバーに反りが生じた場合であっても、読取手段による画像の読取品質を維持し得る。
【００１０】
そして、請求項２記載の画像読取装置において、押圧部材は、フレーム部材と、弾性部材と、フィルムにより構成されている。フレーム部材は、平板状の配設面を有し、前記揺動軸を中心に、前記原稿カバーの対向面に対して揺動自在に軸支される。弾性部材は、フレーム部材の配設面に配設され、所定の柔軟性を有する。そして、フィルムは、配設面に配設された弾性部材において、前記原稿カバーを閉じた場合に前記原稿台上面と対向する面に配設される。フレーム部材と、弾性部材と、フィルムにより押圧部材を構成することにより、当該押圧部材は、原稿台上の原稿と確実に密着して接触することとなり、より確実に原稿を原稿台に押圧することができる。これにより、当該画像読取装置によれば、原稿搬送機構と逆側の部分においても、確実に、原稿を原稿台に押圧することができ、原稿カバーに反りが生じた場合であっても、読取手段による画像の読取品質を維持し得る。
【００１１】
又、請求項３記載の画像読取装置においては、押圧部材は、原稿カバーの対向面に対して、前記揺動軸と前記原稿カバーの対向面の間の距離が一定範囲内で変化可能に配設されている。従って、当該画像読取装置によれば、原稿台上に載置された原稿が厚みを有するものであっても、均一に原稿台に押圧することができる。又、当該画像読取装置によれば、
原稿搬送機構と逆側の部分においても、厚みのある原稿を原稿台に押圧することができ、原稿カバーに反りが生じた場合であっても、読取手段による画像の読取品質を維持し得る。
【００１２】
そして、請求項４記載の画像読取装置において、押圧部材は、原稿カバーの対向面における前記第２方向の中央部分の所定位置において、前記揺動軸を介して、前記原稿カバーに対して揺動自在に配設されている。従って、当該画像読取装置によれば、原稿カバーに第２方向における反りが生じた場合であっても、押圧部材の揺動に対する影響を小さくすることができ、原稿搬送機構と逆側の部分においても、確実に、原稿を原稿台に押圧することができる。そして、当該画像読取装置は、原稿カバーに第１方向及び第２方向における反りが生じた場合であっても、読取手段による画像の読取品質を維持し得る。
【図面の簡単な説明】
【００１３】
【図１】多機能機の外観斜視図である。
【図２】第１実施形態に係る原稿カバーの構成に関する説明図である。
【図３】第１実施形態に係る原稿カバーの断面図である。
【図４】第１実施形態に係る原稿カバーの開閉に伴う原稿押圧部材の動作を示す説明図である。
【図５】第２実施形態に係る原稿カバーの構成に関する説明図である。
【図６】第２実施形態に係る原稿カバーを開いた状態における原稿押圧部材の動作を示す説明図である。
【図７】第２実施形態に係る原稿カバーを開いた状態における原稿カバーの断面図である。
【図８】第２実施形態に係る原稿カバーを開いた状態における軸部近傍の拡大図である。
【図９】第２実施形態に係る原稿カバーを閉じた状態における原稿押圧部材の動作を示す説明図である。
【図１０】第２実施形態に係る原稿カバーを閉じた状態における原稿カバーの断面図である。
【図１１】第２実施形態に係る原稿カバーを閉じた状態における軸部近傍の拡大図である。
【発明を実施するための形態】
【００１４】
以下、本発明に係る画像読取装置を、スキャナユニット２０を有する多機能機１に具体化した一実施形態について、図面を参照しつつ詳細に説明する。
【００１５】
（第１実施形態）
先ず、第１実施形態に係る多機能機１の概略構成について、図面を参照しつつ詳細に説明する。尚、以下の説明において、多機能機１使用時のユーザの位置を基準にした方向を用いて説明する。即ち、図１における右下側を前側とし、図１における左上側を後側とする。又、多機能機１を前側から見たときを左右の基準とし、図１における左下側を左側とし、右上側を右側とする。
【００１６】
図１に示すように、多機能機１は、本体筐体１０と、原稿カバー３０とを有している。本体筐体１０は、多機能機１における各種機能（スキャナ機能、ファクシミリ機能、プリンタ機能等）を実現するための各種構成部品を、当該本体筐体１０内部に収容している。
【００１７】
又、本体筐体１０は、当該本体筐体１０の前側上面に、操作パネル１１、液晶ディスプレイ１２を有している。操作パネル１１は、多機能機１に対する種々の指示を入力する際に操作される。液晶ディスプレイ１２は、多機能機１に関する種々の情報を表示し、ユーザにその情報の内容を報知する。そして、本体筐体１０の前面には、給紙カセット１３が脱着可能に取り付けられている。当該給紙カセット１３は、被記録媒体である用紙を積層状態で収容している。当該用紙は、画像形成部による画像の形成に用いられる。
【００１８】
図１（Ａ）、図２に示すように、本体筐体１０は、上面に原稿載置台１５を有している。当該原稿載置台１５は、コンタクトガラス１６により構成される。コンタクトガラス１６は、所謂「プラテンガラス」であり、本体筐体１０の左右方向に沿って長辺が位置するＡ３サイズよりもやや大きな長方形状に形成されている。コンタクトガラス１６は、原稿をコンタクトガラス１６上にセットし、後述するスキャナユニット２０を構成する第１イメージセンサ２１を移動させて画像を読み取る際に用いられる。
【００１９】
又、本体筐体１０は、各種機能を実現する為の構成部品（例えば、制御部、ファクシミリ部、画像形成部、スキャナユニット２０等）を、本体筐体１０の内部に収容している。スキャナユニット２０は、本体筐体１０の上部（コンタクトガラス１６の下方）に配設されており、第１イメージセンサ２１、スライド軸、モータ等を有している。尚、第１実施形態において、本体筐体１０におけるスキャナユニット２０の配設部分は、スキャナ底面により、制御部、ファクシミリ部、画像形成部等の収納部分と区画されている。
【００２０】
第１イメージセンサ２１は、所謂、密着型イメージセンサ（ＣＩＳ：Contact Image Sensor）により構成され、コンタクトガラス１６上に位置する原稿の画像を読み取る。当該第１イメージセンサ２１は、主走査方向（即ち、本体筐体１０における前後方向）がＡ３サイズの短辺に相当する長さの読取範囲を有しており、本体筐体１０の左右方向に向かって伸びるスライド軸によって、左右方向の一定の範囲（Ａ３サイズの長辺寸法に相当する範囲）内をスライド移動可能に保持されている。従って、当該多機能機１は、制御部によるモータの駆動制御に基づいて、第１イメージセンサ２１をスライド軸に沿ってスライド移動しつつ、コンタクトガラス１６上に載置された原稿の画像を読み取り得る。
【００２１】
制御部は、ＣＰＵ、ＲＯＭ、ＲＡＭ等を有しており、多機能機１の各機能に係る制御の中枢を担う。又、制御部は、操作パネル１１、液晶ディスプレイ１２と接続されている。従って、制御部は、操作パネルに対するユーザの入力操作に基づいて、ユーザ所望の制御を実行し得る。更に、制御部は、操作パネル１１に対するユーザの入力操作や演算処理結果に基づいて、液晶ディスプレイ１２上に種々の情報を表示し得る。
【００２２】
ファクシミリ部は、スキャナユニット２０により読み取った原稿の画像を、ネットワーク網を介して、ユーザ所望の相手先にファクシミリ通信する。又、当該ファクシミリ部は、ネットワーク網を介して、データ（ファクシミリデータ）を受信し得る。受信したファクシミリデータは、制御部によって画像形成部を制御することで、給紙カセット１３内の用紙等に印刷出力される。
【００２３】
画像形成部は、制御部による制御に基づいて、入力された画像データを給紙カセット１３内の用紙へ印刷出力する。当該多機能機１は、スキャナユニット２０により読み取った画像に基づく画像データを対象として、画像形成部を制御することで、コピー機能を実現する。又、当該多機能機１は、ネットワーク網を介して入力された印刷データを対象として、画像形成部を制御することで、プリンタ機能を実現する。
【００２４】
ここで、図１（Ａ）、（Ｂ）に示すように、原稿カバー３０は、本体筐体１０上面の後端縁を軸に開閉自在に配設されており、閉じた場合に本体筐体１０上面（即ち、原稿載置台１５、コンタクトガラス１６）を覆う。従って、図１（Ｂ）、図２に示すように、原稿カバー３０を閉じた場合、当該原稿カバー３０は、後述する原稿押圧部材５０を介して、コンタクトガラス１６上にセットされた原稿をその位置に固定し得る。
【００２５】
尚、当該実施形態では、原稿カバー３０を閉じた場合に、原稿カバー３０において、原稿載置台１５に対向する面を「対向面Ｆ」という。又、原稿カバー３０は、本体筐体１０の左右方向に「原稿カバー第１寸法Ｌｃ」、本体筐体１０の前後方向に「原稿カバー第２寸法Ｗｃ」を有する略長方形状に形成されている。又、原稿カバー中心Ｃｃは、原稿カバー３０の中央を示し、原稿カバー３０の左右方向に延びる辺（原稿カバー第１寸法Ｌｃ）の二等分線上（図４参照）であり、且つ、原稿カバー３０の前後方向に延びる辺（原稿カバー第２寸法Ｗｃ）の二等分線上（図３参照）となる位置を示す。
【００２６】
又、原稿カバー３０は、自動原稿搬送装置３５と、原稿押圧部材５０とを有している。自動原稿搬送装置３５は、原稿カバー３０と一体に形成されており、本体部４０、カバートレイ４１、排紙トレイ４４等を有している（図１、図２等参照）。当該自動原稿搬送装置３５は、後述するカバートレイ４１に載置された原稿を連続して一枚ずつ給紙し、当該原稿を本体部４０内に形成された所定の原稿搬送路Ｒに沿って搬送した後、排紙トレイ４４に排紙する。そして、当該多機能機１は、自動原稿搬送装置３５により原稿を搬送する途中で、スキャナユニット２０等により画像を読み取る方式で、原稿の画像を読み取り得る。
【００２７】
図２〜図４に示すように、原稿カバー３０は、原稿カバー中心Ｃｃに対して左側部分に、自動原稿搬送装置３５の本体部４０を有している。当該本体部４０は、給紙ユニット４５、第２イメージセンサ４６、搬送ユニット４７、排紙ユニット４８等を有している。又、本体部４０には、原稿搬送路Ｒが形成されており、給紙ユニット４５等により搬送される用紙（原稿）は、当該原稿搬送路Ｒに沿って搬送される。即ち、本体部４０は、第１実施形態に係る自動原稿搬送装置３５の主要部を構成する。
【００２８】
そして、カバートレイ４１は、合成樹脂により形成された板状部材により構成されている。当該カバートレイ４１は、本体部４０の右端側上方部分において回動自在に配設されており、通常位置と使用位置の間を移動可能に構成されている。通常位置は、当該カバートレイ４１を本体部４０に近接する方向（即ち、カバートレイ４１を閉じる方向）へ回動させ、本体部４０上面と接触させた位置をいう。従って、カバートレイ４１は、通常位置にある場合、自動原稿搬送装置３５の本体部４０における上面カバーとして機能する。使用位置は、当該カバートレイ４１を本体部４０から離間する方向（即ち、カバートレイ４１を開く方向）へ所定量回動させた位置をいう。従って、カバートレイ４１は、使用位置にある場合、画像の読取対象である原稿を、当該カバートレイ４１の一面に載置し得る状態となり、所謂、原稿トレイとして機能する。
【００２９】
又、原稿カバー３０は、原稿カバー中心Ｃｃに対して右側部分に、排紙トレイ４４を有している。当該排紙トレイ４４は、本体部４０内の原稿搬送路Ｒを通過して排紙された原稿を収容する。ここで、カバートレイ４１が使用位置にある場合、上段にカバートレイ４１、下段に排紙トレイ４４が位置し、カバートレイ４１及び排紙トレイ４４は、上下方向に二段に位置する。
【００３０】
上述したように、本体部４０には、原稿搬送路Ｒが形成されている。当該原稿搬送路Ｒは、カバートレイ４１と排紙トレイ４４とを接続するように略Ｕ字状に形成されており、自動原稿搬送装置３５の左右方向に沿っている。尚、第１実施形態においては、カバートレイ４１から原稿搬送路Ｒに沿って排紙トレイ４４へ向かう方向を原稿の搬送方向という。原稿の幅方向とは、原稿搬送路Ｒを搬送される原稿の幅方向（即ち、自動原稿搬送装置３５における前後方向）を意味する。
【００３１】
当該原稿搬送路Ｒは、第１搬送路Ｒａと、湾曲搬送路Ｒｂと、第２搬送路Ｒｃとにより構成される。第１搬送路Ｒａは、自動原稿搬送装置３５の上部において、カバートレイ４１の搬送方向下流側から自動原稿搬送装置３５の左端側（後述するメインローラの上部）まで伸びる略直線状の搬送路である。当該第１搬送路Ｒａの下面は、アッパーガイド４２の上面、後述する分離パッド、及び第２イメージセンサ４６の上面等によって構成される。アッパーガイド４２は、カバートレイ４１の搬送方向下流側で平面を構成する部材であり、カバートレイ４１内の原稿を給紙ユニット４５へ案内する。
【００３２】
湾曲搬送路Ｒｂは、前記第１搬送路Ｒａの搬送方向下流側端部から下方に向かって半円状の円弧を描くように形成された搬送路である。当該湾曲搬送路Ｒｂは、後述するメインローラの外周面に沿って形成され、自動原稿搬送装置３５の左端側（後述するメインローラの下部）において第２搬送路Ｒｃと接続される（図２参照）。
【００３３】
第２搬送路Ｒｃは、湾曲搬送路Ｒｂの下端部から排紙ユニット４８及び排紙トレイ４４へ延びる略直線状の搬送路であり、第１搬送路Ｒａの下方に位置する。当該第２搬送路Ｒｃは、ロアガイド４３とそれに所定の間隔を有して対向する原稿カバー３０の内壁面によって主に構成される。そして、当該第２搬送路Ｒｃは、メインローラ近傍の原稿カバー３０底面に形成され、本体筐体１０の前後方向に沿った開口を含んでいる。前記ロアガイド４３は、前記開口から排紙トレイ４４へ向かって延びており、原稿搬送路Ｒを搬送される原稿を排紙ユニット４８及び排紙トレイ４４へ案内する。
【００３４】
ここで、原稿カバー３０を閉じた場合に、原稿搬送路Ｒに沿って搬送される原稿は、前記開口を通過する際に、コンタクトガラス１６を介して、所定の固定読取位置に位置する第１イメージセンサ２１上側を通過し、当該原稿の第２面（表面）を下方に露出する。従って、当該多機能機１は、自動原稿搬送装置３５により原稿を原稿搬送路Ｒに沿って搬送しつつ、第１イメージセンサ２１により、当該原稿の第２面（表面）から画像を読み取り得る。又、図２に示すように、公知の原稿押さえ部が、第２搬送路Ｒｃを介して当該開口と対向する位置に配設されている。当該開口を通過する原稿は、よりコンタクトガラス１６側を通過することになるため、多機能機１は、より高い精度で、第１イメージセンサ２１による画像の読取を行い得る。
【００３５】
給紙ユニット４５は、第１搬送路Ｒａにおけるカバートレイ４１側端部近傍に配設されており、カバートレイ４１にセットされた原稿を一枚ずつに分離しつつ、搬送ユニット４７へ対して給紙する。給紙ユニット４５は、吸入ローラと、分離ローラと、分離パッドとにより構成されている。吸入ローラは、給紙ユニット４５における搬送方向上流側において第１搬送路Ｒａの上面に沿う位置に回転自在に軸支されており、モータ（図示せず）の駆動により、カバートレイ４１に載置された原稿を搬送方向下流側へ搬送する。分離ローラは、吸入ローラよりも搬送方向下流側において、モータ（図示せず）の駆動に伴って回転し、分離パッドと協働することで、一枚の原稿のみを分離して搬送ユニット４７側（即ち、搬送方向下流側）へ搬送する。
【００３６】
そして、第１搬送路Ｒａに沿った所定位置には、第２イメージセンサ４６が配設されている。第２イメージセンサ４６は、所謂、密着型イメージセンサ（ＣＩＳ：Contact Image Sensor）により構成され、給紙ユニット４５よりも搬送方向下流側において、第１搬送路Ｒａの下面に沿って配設されている。従って、当該多機能機１は、第２イメージセンサ４６によって、第１搬送路Ｒａを搬送される原稿の第１面（裏面）から画像を読み取り得る。又、公知の原稿押さえ部は、第１搬送路Ｒａの上面に沿って、第２イメージセンサ４６と対向する位置に配設されている。従って、原稿は、より第２イメージセンサ４６側を通過することになるため、多機能機１は、より高い精度で、第２イメージセンサ４６による画像の読取を行い得る。
【００３７】
搬送ユニット４７は、給紙ユニット４５よりも搬送方向下流側に配設されており、給紙ユニット４５により給紙された原稿を原稿搬送路Ｒに沿って排紙ユニット４８へ搬送する。当該搬送ユニット４７は、搬送ローラと、メインローラと、複数のピンチローラを備えている。搬送ローラは、給紙ユニット４５の搬送方向下流側近傍において、第１搬送路Ｒａの上面に沿う位置に回転自在に軸支されており、モータ（図示せず）の駆動に伴ってピンチローラと協働し、原稿を搬送方向下流側へ搬送する。
【００３８】
メインローラは、自動原稿搬送装置３５における本体部４０の左側端部において回転自在に軸支されており、モータ（図示せず）の駆動に伴い回転駆動する。メインローラは、前記モータの駆動に伴って回転することで、第１搬送路Ｒａを搬送された原稿を湾曲搬送路Ｒｂに沿って、第２搬送路Ｒｃへ向かって搬送し得る。上述したように、湾曲搬送路Ｒｂは、当該メインローラの外周面に沿って形成されている。即ち、当該メインローラ外周面は、湾曲搬送路Ｒｂの一部を構成する。
【００３９】
排紙ユニット４８は、第２搬送路Ｒｃの搬送方向下流側端部（即ち、原稿搬送路Ｒの末端部）に配設されており、原稿搬送路Ｒを搬送された原稿を排紙トレイ４４へ排紙する。当該排紙ユニット４８は、排紙ローラと、ピンチローラを有している。排紙ローラは、第２搬送路Ｒｃの搬送方向下流側端部（即ち、原稿搬送路Ｒの末端部）近傍において、第２搬送路Ｒｃの上面に沿う位置に回転自在に軸支されている。又、当該排紙ローラは、前記モータの回転駆動に伴って、第２搬送路Ｒｃを搬送された原稿を排紙トレイ４４へ排紙し得る。
【００４０】
上述したように、原稿カバー３０には、原稿カバー中心Ｃｃよりも左側に、給紙ユニット４５等を含む本体部４０が配設され、原稿カバー中心Ｃｃの右側には、原則的に排紙トレイ４４が配設されている。従って、図４に示すように、原稿カバー３０の重心Ｇは、原稿カバー中心Ｃｃよりも左側に位置する。この結果、当該多機能機１は、原稿載置台１５に原稿を載置する際に、原稿カバー３０の開閉動作を行っていくことで、原稿カバー３０に、当該原稿カバー３０の左側（本体部４０配設部分）よりも、原稿カバー３０の右側（排紙トレイ４４側）が上方となるように反りが生じる可能性を有する。
【００４１】
続いて、第１実施形態に係る多機能機１において、原稿カバー３０に配設される原稿押圧部材５０について、図４を参照しつつ詳細に説明する。当該原稿押圧部材５０は、押圧部材フレーム５１と、緩衝部材５２と、フィルムシート５３により構成された略板状の部材であり、原稿カバー３０の対向面Ｆに形成された取付部３１を介して、原稿カバー３０の対向面Ｆに対して揺動自在に配設されている。従って、当該原稿押圧部材５０は、原稿カバー３０を閉じた場合に、コンタクトガラス１６上に載置された原稿全面に接触し、当該原稿を押圧固定し得る。
【００４２】
尚、原稿押圧部材５０は、本体筐体１０の左右方向に「押圧部材第１寸法Ｌｐ」、本体筐体１０の前後方向に「押圧部材第２寸法Ｗｐ」を有する略長方形状に形成されている。又、押圧部材中心Ｃｐは、原稿押圧部材５０の中央を示し、原稿押圧部材５０の左右方向に延びる辺（押圧部材第１寸法Ｌｐ）の二等分線上（図４参照）であり、且つ、原稿押圧部材５０の前後方向に延びる辺（押圧部材第２寸法Ｗｐ）の二等分線上（図３参照）となる位置を示す。
【００４３】
ここで、取付部３１は、原稿カバー３０の対向面Ｆにおける所定位置（２箇所）に形成されており、原稿押圧部材５０を揺動自在に軸支する軸受けとして機能する。図３に示すように、各取付部３１には、後述する揺動軸部材５４が挿通される挿通孔が形成されている。各取付部３１の配設位置について、図３、図４を参照しつつ説明する。原稿カバー３０の左右方向においては、各取付部３１は、原稿カバー中心Ｃｃを基準に左側（即ち、自動原稿搬送装置３５の本体部４０側）に、所定距離偏心した位置に形成されている（図４参照）。一方、原稿カバー３０の前後方向においては、各取付部３１は、原稿カバー中心Ｃｃ近傍（即ち、原稿カバー中心Ｃｃから、前後方向に所定距離離間した位置）に形成されている。
【００４４】
上述したように、原稿押圧部材５０は、押圧部材フレーム５１と、緩衝部材５２と、フィルムシート５３とにより構成されている（図２〜図４参照）。押圧部材フレーム５１は、合成樹脂等により平板状に形成された本体部分と、当該本体部分を揺動自在に軸支する為の揺動支持部５１Ａと、を有している。
【００４５】
押圧部材フレーム５１の本体部分は、左右方向に押圧部材第１寸法Ｌｐの長辺、前後方向に押圧部材第２寸法Ｗｐの短辺を有する長方形の平板状に形成されており、本体部分の一面（図２〜図４中、下面）に、緩衝部材５２、フィルムシート５３等が配設される配設面を有している。
【００４６】
揺動支持部５１Ａは、押圧部材フレーム５１の本体部分において、前記配設面の裏面側の所定位置に立設されている。揺動支持部５１Ａは、押圧部材フレーム５１の左右方向においては、押圧部材中心Ｃｐを基準に左側（即ち、自動原稿搬送装置３５の本体部４０側）に、所定距離偏心した位置に形成されている（図４参照）。一方、押圧部材フレーム５１の前後方向においては、揺動支持部５１Ａは、押圧部材中心Ｃｐ近傍（即ち、押圧部材中心Ｃｐから、前後方向に所定距離離間した位置）に形成されている。又、揺動支持部５１Ａは、上述した各取付部３１と同様に、揺動軸部材５４が挿通される挿通孔を有している。従って、一定以上の剛性を有する材料（例えば、金属等）により構成される揺動軸部材５４を、各取付部３１及び揺動支持部５１Ａの挿通孔に挿通することにより、押圧部材フレーム５１は、原稿カバー３０の対向面Ｆに対して揺動自在に取り付けられる（図３、図４等参照）。
【００４７】
そして、緩衝部材５２は、合成樹脂等により形成された平板状のスポンジにより構成され、押圧部材フレーム５１の配設面に配設されている。当該緩衝部材５２は、押圧部材フレーム５１の本体部分と同様に、左右方向に押圧部材第１寸法Ｌｐの長辺、前後方向に押圧部材第２寸法Ｗｐの短辺を有する長方形状に形成されている。そして、当該緩衝部材５２は、原稿カバー３０を閉じた場合に、原稿カバー３０の対向面Ｆ及び押圧部材フレーム５１の配設面よりも原稿載置台１５側に位置する。
【００４８】
フィルムシート５３は、ポリプロピレン或いはポリエステル製のフィルム等により構成され、配設面に配設された緩衝部材５２の下面に貼着されている。従って、フィルムシート５３は、原稿カバー３０を閉じた場合に、原稿カバー３０の対向面Ｆ、押圧部材フレーム５１及び緩衝部材５２よりも、原稿載置台１５側に位置し、原稿載置台１５及び原稿載置台１５に載置された原稿と接触する。
【００４９】
続いて、第１実施形態に係る多機能機１において、原稿カバー３０を開閉した場合の原稿押圧部材５０の動作について、図面を参照しつつ詳細に説明する。原稿カバー３０を開いた場合（図１（Ａ）参照）、原稿押圧部材５０は、原稿載置台１５から離間し、揺動軸部材５４を中心に自在に揺動し得る。
【００５０】
上述したように、原稿押圧部材５０は、押圧部材中心Ｃｐを基準に左側（即ち、自動原稿搬送装置３５の本体部４０側）に、所定距離偏心した位置に形成された各揺動支持部５１Ａを介して、原稿カバー３０の対向面Ｆに揺動自在に取り付けられている。ここで、原稿押圧部材５０において、揺動支持部５１Ａより右側部分の方が、揺動支持部５１Ａより左側部分よりも重いため、原稿カバー３０を開いた場合、原稿押圧部材５０は、揺動軸部材５４を中心に、原稿押圧部材５０の左端部が対向面Ｆに接触するまで、所定方向（図４中、時計回り）に回動する。従って、原稿カバー３０を開いた場合、原稿押圧部材５０の右端側（即ち、排紙トレイ４４側）は、原稿押圧部材５０の左端側よりも、原稿載置台１５側に位置する。
【００５１】
そして、当該多機能機１においては、原稿カバー３０を閉じると、原稿押圧部材５０は、図４（Ａ）の状態から反時計回りに回動して、当該原稿押圧部材５０の右端側（排紙トレイ４４側）から順に、原稿載置台１５に接触していき、原稿載置台１５に載置された原稿を押圧固定する。従って、当該多機能機１は、自動原稿搬送装置３５の本体部４０と逆側の部分においても、確実に、原稿を原稿載置台１５に押圧固定し得る（図４（Ｂ）参照）。
【００５２】
ここで、当該多機能機１においては、原稿押圧部材５０は、原稿カバー３０と別部材により構成され、原稿カバー３０の対向面Ｆに揺動自在に配設されている為、左右方向に沿った反りが原稿カバー３０に生じた場合であっても、当該原稿カバー３０の反りが、原稿押圧部材５０に影響を与えることはない。つまり、左右方向に沿った反りが原稿カバー３０に生じた場合であっても、当該原稿押圧部材５０は、左右方向に沿った反りを生じさせることはなく、原稿載置台１５と接触する面を平面として維持し得る。
【００５３】
原稿カバー３０を閉じた場合（図１（Ｂ）参照）、原稿押圧部材５０の下面（フィルムシート５３配設面）は、原稿載置台１５表面に接触することになる。ここで、原稿載置台１５は、コンタクトガラス１６により構成されているので、原稿載置台１５表面は、水平な平面形状を維持している。従って、当該多機能機１は、原稿カバー３０に反りが生じた場合であっても、当該原稿押圧部材５０の下面全体で、原稿を原稿載置台１５に押圧固定し得る。
【００５４】
又、当該多機能機１においては、原稿押圧部材５０は、押圧部材フレーム５１の配設面に対して、緩衝部材５２、フィルムシート５３を配設して構成されている。緩衝部材５２を有することにより、当該原稿押圧部材５０は、原稿カバー３０を閉じた場合に、原稿載置台１５に載置された原稿と密着することとなるため、より確実に原稿を原稿載置台１５に押圧することができ、原稿カバー３０に反りが生じた場合であっても、スキャナユニット２０による画像の読取品質を維持し得る。
【００５５】
更に、当該多機能機１では、原稿押圧部材５０は、前後方向において、原稿カバー中心Ｃｃ、押圧部材中心Ｃｐ近傍に形成された取付部３１及び揺動支持部５１Ａにより揺動自在に軸支されている。つまり、当該多機能機１は、原稿カバー３０に前後方向に沿った反りが生じた場合であって、揺動軸部材５４近傍に与える当該反りの影響を少なくすることができ、原稿押圧部材５０が原稿カバー３０に対して揺動自在な状態を維持し得る。
【００５６】
（第２実施形態）
次に、上述した第１実施形態と異なる別の実施形態（第２実施形態）について、図面を参照しつつ詳細に説明する。尚、第２実施形態に係る多機能機１は、第１実施形態に係る多機能機１と同一の基本的構成を有しており、原稿カバー３０における取付部３１の構成、原稿押圧部材の構成が相違する。従って、第１実施形態と同一の構成に関する説明は省略し、これらの相違点についてのみ、図面を参照しつつ説明する。
【００５７】
第２実施形態においても、取付部３１は、原稿カバー３０の対向面Ｆにおける所定位置（２箇所）に形成されており、原稿押圧部材７０を揺動自在に軸支する軸受けとして機能する。ここで、図８、図１０等に示すように、各取付部３１は、側面視略Ｕ字状に形成されており、軸部７１Ｂが挿通される長孔３１Ａを有している。図８等に示すように、当該長孔３１Ａは、上下方向（対向面Ｆに対して鉛直方向）に長径を有するように形成されている。
【００５８】
次に、第２実施形態における各取付部３１の配設位置について、図面を参照しつつ説明する。原稿カバー３０の左右方向においては、各取付部３１は、原稿カバー中心Ｃｃを基準に左側（即ち、自動原稿搬送装置３５の本体部４０側）に、所定距離偏心した位置に形成されている（図６、図９参照）。一方、原稿カバー３０の前後方向においては、各取付部３１は、原稿カバー中心Ｃｃ近傍（即ち、原稿カバー中心Ｃｃから、前後方向に所定距離離間した位置）に形成されている（図７、図１０参照）。
【００５９】
そして、第２実施形態に係る原稿押圧部材７０は、押圧部材フレーム７１と、緩衝部材７２と、フィルムシート７３により構成されている（図５〜図１１参照）。押圧部材フレーム７１は、合成樹脂等により平板状に形成された本体部分と、当該本体部分を揺動自在に軸支する為の揺動支持部７１Ａと、を有している。
【００６０】
押圧部材フレーム７１の本体部分は、第１実施形態と同様に、左右方向に押圧部材第１寸法Ｌｐの長辺、前後方向に押圧部材第２寸法Ｗｐの短辺を有する長方形の平板状に形成されており、本体部分の一面（図５〜図１１中、下面）に、緩衝部材７２、フィルムシート７３等が配設される配設面を有している。
【００６１】
揺動支持部７１Ａは、押圧部材フレーム７１の本体部分において、前記配設面の裏面側の所定位置（２箇所）に立設されている。各揺動支持部７１Ａは、押圧部材フレーム７１の左右方向においては、押圧部材中心Ｃｐを基準に左側（即ち、自動原稿搬送装置３５の本体部４０側）に、所定距離偏心した位置に形成されている（図６、図９参照）。一方、押圧部材フレーム７１の前後方向においては、各揺動支持部７１Ａは、押圧部材中心Ｃｐ近傍（即ち、押圧部材中心Ｃｐから、前後方向に所定距離離間した位置）に形成されている（図７、図１０参照）。
【００６２】
又、各揺動支持部７１Ａは、当該揺動支持部７１Ａの一側面（押圧部材フレーム７１の外側方向に面する側面）に、当該側面から所定寸法突出した軸部７１Ｂを有している。従って、揺動支持部７１Ａの軸部７１Ｂを、取付部３１の長孔３１Ａに夫々挿通することにより、押圧部材フレーム７１は、原稿カバー３０の対向面Ｆに対して揺動自在に取り付けられる（図５、図６等参照）。
【００６３】
尚、緩衝部材７２及びフィルムシート７３は、第１実施形態における緩衝部材５２及びフィルムシート５３と同様の構成である。従って、緩衝部材７２、フィルムシート７３に関する説明については省略する。
【００６４】
続いて、第２実施形態に係る多機能機１において、原稿カバー３０を開閉した場合の原稿押圧部材５０の動作について、図面を参照しつつ詳細に説明する。原稿カバー３０を開いた場合（図１（Ａ）参照）、原稿押圧部材７０は、原稿載置台１５から離間し、軸部７１Ｂを中心に自在に揺動し得る。
【００６５】
ここで、第２実施形態においては、原稿押圧部材７０の軸部７１Ｂは、取付部３１の長孔３１Ａに挿通されている。上述したように、長孔３１Ａは、上下方向（対向面Ｆに対して鉛直方向）に長径を有しているため、軸部７１Ｂは、長孔３１Ａ内を上下方向に移動可能となっている。従って、原稿カバー３０を開いた場合、軸部７１Ｂは、長孔３１Ａ内の下端部に移動する。
【００６６】
そして、原稿押圧部材７０も、押圧部材中心Ｃｐを基準に左側（即ち、自動原稿搬送装置３５の本体部４０側）に、所定距離偏心した位置に形成された各揺動支持部７１Ａを介して、原稿カバー３０の対向面Ｆに揺動自在に取り付けられている。ここで、原稿押圧部材７０においても、揺動支持部７１Ａより右側部分の方が、揺動支持部７１Ａより左側部分よりも重いため、原稿カバー３０を開いた場合、原稿押圧部材７０は、長孔３１Ａの下端に位置する軸部７１Ｂを中心に、原稿押圧部材７０の左端部が対向面Ｆに接触するまで、所定方向（図６中、時計回り）に回動する。従って、原稿カバー３０を開いた場合、原稿押圧部材７０の右端側（即ち、排紙トレイ４４側）は、原稿押圧部材７０の左端側よりも、原稿載置台１５側に位置する。
【００６７】
従って、当該多機能機１においては、原稿カバー３０を閉じると、原稿押圧部材７０は、当該原稿押圧部材７０の右端側（排紙トレイ４４側）から順に、図６の状態から反時計回りに回動しつつ原稿載置台１５に接触していき、原稿載置台１５に載置された原稿を押圧固定する。従って、当該多機能機１は、自動原稿搬送装置３５の本体部４０と逆側の部分においても、確実に、原稿を原稿載置台１５に押圧固定し得る（図５参照）。
【００６８】
ここで、当該多機能機１においては、原稿押圧部材７０は、原稿カバー３０と別部材により構成され、原稿カバー３０の対向面Ｆに揺動自在に配設されている為、左右方向に沿った反りが原稿カバー３０に生じた場合であっても、当該原稿カバー３０の反りが原稿押圧部材７０に影響を与えることはない。つまり、左右方向に沿った反りが原稿カバー３０に生じた場合であっても、当該原稿押圧部材７０は、左右方向に沿った反りを生じさせることはなく、原稿載置台１５と接触する面を平面として維持し得る。
【００６９】
原稿カバー３０を閉じた場合（図１（Ｂ）参照）、原稿押圧部材７０の下面（フィルムシート７３配設面）は、原稿載置台１５表面に接触することになる。ここで、原稿載置台１５は、コンタクトガラス１６により構成されているので、原稿載置台１５表面は、水平な平面形状を維持している。従って、当該多機能機１は、原稿カバー３０に反りが生じた場合であっても、当該原稿押圧部材７０の下面全体で、原稿を原稿載置台１５に押圧固定し得る。
【００７０】
又、当該多機能機１においては、原稿押圧部材７０は、押圧部材フレーム７１の配設面に対して、緩衝部材７２、フィルムシート７３を配設して構成されている。緩衝部材７２を有することにより、当該原稿押圧部材７０は、原稿カバー３０を閉じた場合に、原稿載置台１５に載置された原稿と密着することとなるため、より確実に原稿を原稿載置台１５に押圧することができ、原稿カバー３０に反りが生じた場合であっても、スキャナユニット２０による画像の読取品質を維持し得る。
【００７１】
更に、当該多機能機１では、原稿押圧部材７０は、前後方向において、原稿カバー中心Ｃｃ、押圧部材中心Ｃｐ近傍に形成された取付部３１及び揺動支持部７１Ａにより揺動自在に軸支されている。つまり、当該多機能機１は、原稿カバー３０に前後方向に沿った反りが生じた場合であって、軸部７１Ｂ近傍に与える当該反りの影響を少なくすることができ、原稿押圧部材７０が原稿カバー３０に対して揺動自在な状態を維持し得る。
【００７２】
又、第２実施形態では、原稿押圧部材７０の軸部７１Ｂは、取付部３１の長孔３１Ａに挿通されており、長孔３１Ａは、上下方向（対向面Ｆに対して鉛直方向）に長径を有しているため、軸部７１Ｂは、長孔３１Ａ内を上下方向に移動し得る。従って、原稿載置台１５に厚みのある原稿を載置し、原稿カバー３０を閉じた場合、軸部７１Ｂが長孔３１Ａ内を上方に移動することによって、原稿押圧部材７０は、厚みのある原稿を原稿載置台１５に押圧固定し得る。即ち、第２実施形態に係る多機能機１は、原稿カバー３０に反りが生じた場合であっても、厚みのある原稿についても、スキャナユニット２０による画像の読取品質を維持し得る。
【００７３】
以上、実施形態に基づき本発明を説明したが、本発明は上述した実施形態に何ら限定されるものではなく、本発明の趣旨を逸脱しない範囲内で種々の改良変更が可能である。例えば、第１実施形態においては、スキャナ機能、コピー機能、プリンタ機能、ファクシミリ機能を有する多機能機１を例として挙げていたが、この態様に限定するものではない。少なくともスキャナ機能を有していれば、その他の機能を追加、削除することも可能である。
【００７４】
又、上述した各実施形態においては、原稿カバー３０に形成された取付部３１を、原稿押圧部材を揺動自在に軸支する軸受けとして機能させていたが、この構成に限定されるものではない。即ち、原稿押圧部材に形成された揺動支持部を軸受けとして機能させる構成であってもよい。
【００７５】
そして、第１実施形態においては、揺動軸部材５４を、取付部３１及び揺動支持部５１Ａと別部材として構成していたが、この構成に限定されるものではない。例えば、取付部３１又は揺動支持部５１Ａの一方に軸部を形成し、他方が当該軸部の軸受けとして機能するように構成することも可能である。
【００７６】
又、第２実施形態においては、揺動支持部７１Ａと一体に形成した軸部７１Ｂを、取付部３１の長孔３１Ａに挿通することで、原稿押圧部材７０を、原稿カバー３０の対向面Ｆに対して近接離間可能であり、且つ、揺動自在に軸支していたが、この構成に限定されるものではない。原稿押圧部材７０を、原稿カバー３０の対向面Ｆに対して近接離間可能であり、且つ、揺動自在に軸支し得る構成であれば、軸部を別部材により構成することも可能である。又、軸部７１Ｂが原稿カバー３０の対向面Ｆに対して近接離間する構成である場合に、軸部７１Ｂと原稿カバー３０の対向面Ｆの間に、バネやゴム等の弾性部材を配設することも可能である。
【符号の説明】
【００７７】
１      多機能機
１５    原稿載置台
３０    原稿カバー
３１    取付部
３５    自動原稿搬送装置
４０    本体部
５０    原稿押圧部材
５１    押圧部材フレーム
５１Ａ  揺動支持部
５２    緩衝部材
５３    フィルムシート
５４    揺動軸部材
Ｃｃ    原稿カバー中心
Ｃｐ    押圧部材中心
Ｇ      重心
【図１】
2012160861.tif 000003
【図２】
2012160861.tif 000004
【図３】
2012160861.tif 000005
【図４】
2012160861.tif 000006
【図５】
2012160861.tif 000007
【図６】
2012160861.tif 000008
【図７】
2012160861.tif 000009
【図８】
2012160861.tif 000010
【図９】
2012160861.tif 000011
【図１０】
2012160861.tif 000012
【図１１】
2012160861.tif 000013